(57)【要約】【課題】塩基性悪臭物質に対して優れた消臭効果を有し、繰り返しの洗濯にもその消臭機能が低下しない耐洗濯性に優れ、更に、肌ざわりや風合いが良いため着用感に優れる、消臭糸を含有する下着の付属部分品及びこれらが付設される消臭下着を提供することにある。【解決手段】塩基性悪臭物質を吸着脱臭する消臭糸を含有することを特徴とする下着の付属部分品とする。【選択図】　図１
2004091935.tif 000002
【特許請求の範囲】
【請求項１】
塩基性悪臭物質を吸着脱臭する消臭糸を含有することを特徴とする下着の付属部分品。
【請求項２】
前記下着の付属部分品が、少なくともマチ部分、パット、レース、コメット、ニードル又はブラジャーの肩ひも等の下着本体に付設する繊維構造物であることを特徴とする請求項１に記載の下着の付属部分品。
【請求項３】
前記消臭糸が、セルロース繊維にメタクリル酸をグラフト共重合させた改質セルロース繊維を原料とする消臭糸であることを特徴とする請求項１又は２に記載の下着の付属部分品。
【請求項４】
前記改質セルロース繊維が前記消臭糸中５〜４０％含有されることを特徴とする請求項１乃至３のいずれかに記載の下着の付属部分品。
【請求項５】
前記消臭糸が３０〜６０番手、又は６０／２〜１２０／２番手であることを特徴とする請求項１乃至４のいずれかに記載の下着の付属部分品。
【請求項６】
下着本体の生地に前記消臭糸が使用される消臭下着であって、前記下着の付属部分品が付設されることを特徴とする消臭下着。
【発明の詳細な説明】
【０００１】
【発明の属する技術分野】
本発明は消臭糸を含有する下着の付属部分品及びこれらが付設される消臭下着に係り、その目的は優れた消臭効果を有し、繰り返しの洗濯にも消臭機能が低下しない耐洗濯性に優れ、肌ざわりが良い、消臭糸を含有する下着の付属部分品及びこれらが付設される消臭下着を提供することにある。
【０００２】
【従来の技術】
近年、無臭志向や清潔志向が高まり、汗臭や体臭などの臭いに対する要求が高まっている。
そこで、衣服などの繊維製品の生地に消臭性能を付与することで、不快な臭いを消臭することが注目され、消臭性物質を繊維表面に付着固定し、消臭機能を付与したものが開発されている。中でも下着は衣服の中でも最も皮膚に近く着用するものであり、吸湿、透湿、保温の役割をすると共に、汗や皮脂、埃を吸収し皮膚を清潔に保つ役割をするため、消臭機能を付与した下着が多く開発されている。
【０００３】
【発明が解決しようとする課題】
しかしながら、従来の消臭機能を付与した下着などの繊維製品は、洗濯を繰り返すにつれてその機能が低下し、使用を重ねる度に汗臭や体臭などが繊維に残り、製品の機能性が大きく損なわれるという問題があった。特に夏場は、汗や蒸れによる臭いが強くなり、従来の消臭機能を付与した下着では十分に臭いを消臭することができず不快感を覚えることが多かった。また、脇の下部分などの汗をかきやすい部分は汗臭を除くために洗濯の際に部分洗いが必要であった。
本発明は上記した問題点を解決するためになされたものであって、優れた消臭効果を有し、繰り返しの洗濯にも消臭機能が低下しない耐洗濯性に優れ、肌ざわりが良い消臭糸を含有する下着の付属部分品及びこれらが付設される消臭下着を創出しようとするものである。
【０００４】
【課題を解決するための手段】
すなわち本発明のうち請求項１に係る発明は、塩基性悪臭物質を吸着脱臭する消臭糸を含有することを特徴とする下着の付属部分品に関する。
請求項２に係る発明は、前記下着の付属部分品が、少なくともマチ部分、パット、レース、コメット、ニードル又はブラジャーの肩ひも等の下着本体に付設する繊維構造物であることを特徴とする請求項１に記載の下着の付属部分品に関する。
請求項３に係る発明は、前記消臭糸が、セルロース繊維にメタクリル酸をグラフト共重合させた改質セルロース繊維を原料とする消臭糸であることを特徴とする請求項１又は２に記載の下着の付属部分品に関する。
請求項４に係る発明は、前記改質セルロース繊維が前記消臭糸中５〜４０％含有されることを特徴とする請求項１乃至３のいずれかに記載の下着の付属部分品に関する。
請求項５に係る発明は、前記消臭糸が３０〜６０番手、又は６０／２〜１２０／２番手であることを特徴とする請求項１乃至４のいずれかに記載の下着の付属部分品に関する。
請求項６に係る発明は、下着本体の生地に前記消臭糸が使用される消臭下着であって、前記下着の付属部分品が付設されることを特徴とする消臭下着に関する。
【０００５】
【発明の実施の形態】
以下、本発明に係る消臭糸を含有する下着の付属部分品及びこれらが付設される消臭下着について、図面を参照しつつ説明する。
図１は、本発明の実施の形態であるショーツを示し、図２は本発明の実施の形態であるインナーウェアを示す。
【０００６】
本発明に係る下着の付属部分品は、図１に示すショーツのような、パンティ部を有する下着の股部内側に設けるマチ部分（１）や、図２に示すインナーウェアのような上衣に汗を吸収する目的で取り付ける、脇部分のパット（２）や肩部分のパット（３）、あるいは装飾、補強、縁取り、ストレッチ性付与などを目的とし、特定の部分の効用を増すために使用するレース（４）、コメット（５）、ニードル（６）やブラジャーの肩ひも等の下着本体に付設する繊維構造物をいう。
【０００７】
尚、本発明において下着とは、図１及び図２に示したショーツやインナーウェアのような肌着の他、靴下、手袋、和装用下着、Ｔシャツ、サポーター、腹巻き等の肌に直接つける衣類と定義し、下着の付属部分品は、該下着に付設する繊維構造物全てを指す。
【０００８】
本発明に係る消臭糸を含有する下着の付属部分品は、塩基性悪臭物質を吸着脱臭する消臭糸を使用することを特徴とする。
本発明において使用する消臭糸は、セルロース繊維にメタクリル酸をグラフト共重合させて得られる改質セルロース繊維よりなるものである。該改質セルロース繊維の製造方法としては、具体的には、日本蚕毛染色株式会社の所有する特許第３２３９１４６号で開示されている方法を採用する。
改質させるセルロース繊維として、木綿、麻又はレーヨン等のセルロース骨格を有する天然繊維又は再生繊維を使用し、これら繊維に対してメタクリル酸を共重合させてカルボキシル基を導入する。こうして得られた改質セルロース繊維はアンモニアやアミン、屎尿臭等の塩基性悪臭物質に対する吸着性に優れており、消臭繊維として作用する。
【０００９】
本発明において使用する消臭糸は、前記改質セルロース繊維を他の繊維と混紡して紡績糸として使用することが好ましい。該消臭糸を紡績する際に該改質セルロース繊維と共に混紡する繊維としては特に限定されないが、例えば、綿、絹、麻等の天然繊維、ポリエステル、ナイロン、レーヨン、アクリル等の化学繊維が挙げられ、好ましくは綿を使用する。
【００１０】
前記改質セルロース繊維と混紡する繊維は、それぞれ１種を単独で用いて混紡しても良く、２種以上を組み合わせて混紡してもよい。
該改質セルロース繊維は、前記消臭糸中５〜４０％含有されるようにする。その理由として、該改質セルロース繊維が消臭糸中５％未満の場合、本発明の目的である消臭効果が著しく低下し、また４０％を超えると糸質が低下するため好ましくない。
【００１１】
前記消臭糸の糸の太さとしては特に限定されないが、３０〜６０番手、又は６０／２〜１２０／２番手の細番手の糸を使用するのが好ましい。番手とは糸の太さの単位のことをいい、番手数が大きくなるほどその糸は細くなる。また、３０〜６０番手の糸は単糸であり、６０／２〜１２０／２番手の糸は該単糸を２本撚ったものであり双糸と呼ばれる。双糸は単糸に比べて糸の太さが一定になるため丈夫な糸となる。本発明においては前記した太さの範囲の単糸、双糸とも好適に使用することができる。
尚、３０番手又は６０／２番手より太い糸を使用すると、下着の付属部分品がごわつく原因となり、肌ざわり等の風合いが劣化するため好ましくなく、６０番手又は１２０／２番手より細い糸を使用すると、該付属部分品が薄くなりすぎるため破れやすくなり、耐洗濯性にも劣るため好ましくない。
【００１２】
前記改質セルロース繊維を紡績した消臭糸を１００％使用して下着の付属部分品を作成しても良く、また他の糸と混用しても良い。混用する場合、消臭糸と混用する糸としては特に限定されないが、例えば、綿糸、麻糸、レーヨン糸、アセテート糸、絹糸、ポリエステル糸、ナイロン糸、アクリル糸、ポリウレタン糸等が挙げられる。他の糸と混用する場合、該消臭糸は１０％以上含まれるようにする。その理由として、該消臭糸が１０％より少ない場合、十分な消臭効果が期待できないため好ましくないからである。また、他の糸と混用する場合、作成する付属部分品は交織あるいは交編して、全ての面に消臭糸が織り込まれるようにする。
【００１３】
上述した如く、改質セルロース繊維を含有する消臭糸を使用して製造した本発明に係る下着の付属部分品は、優れた消臭効果を有する。また、使用する糸自体に消臭機能を持たせているため、繰り返しの洗濯にもその効果が低下しない耐洗濯性があり、肌ざわりも優れている。
【００１４】
更に、本発明に係る下着の付属部分品を、生地に消臭機能を付与した下着本体に付設した下着は、下着全体に消臭効果があり、特に脇の下部分などの汗をかきやすい部分に付設する該付属部分品に残る汗臭や体臭などの臭いを効果的に消臭することができる。
【００１５】
尚、下着本体の生地は、従来の消臭機能を付与した下着の生地を用いても良いが、本発明において使用する消臭糸を使用して作成した生地がより好ましく、その場合、下着の全ての生地に優れた消臭機能があるため効果的に不快な臭いを消臭し、耐洗濯性にも優れた下着とすることができる。
また、下着の生地は織機、編機（経編機、緯編機）で製造した織・編生地であることが望ましく、例えば、天竺編（平編）、経編、斜文編、リブ編、片袋編、パール編、コード編などが挙げられ、軽くて薄く、適度な伸縮性がある天竺編地を使用するのが好ましい。
【００１６】
以下本発明の実施例を記載することにより、本発明の効果をより明確なものとする。尚、本発明に係る消臭糸を含有する下着の付属部分品及びこれらが付設される消臭下着は、以下の実施例に何ら限定されるものではない。
【００１７】
【実施例】
（実施例１）
まず、実施例１として、木綿繊維にメタクリル酸をグラフト共重合させた改質セルロース繊維４０％、綿繊維６０％を混紡した、６０番手の消臭糸を用いて編機により製造した天竺編地を用いてパットとシャツ本体を作成し、該パットをシャツの脇の下部分に装着した。
【００１８】
（実施例２）
次に、実施例２として、実施例１のうち、改質セルロース繊維５％、綿繊維９５％を混紡した６０番手の消臭糸を用いた。
【００１９】
（実施例３）
実施例３として、実施例１のうち、８０／２番手の消臭糸を使用した。
【００２０】
（実施例４）
実施例４として、実施例１の消臭糸を２０％、ナイロン７０％、ポリウレタン１０％を混用してストレッチレースを製造した。また、実施例１の消臭糸を用いて製造した天竺編地及び該ストレッチレースを用いてショーツを作成した。
【００２１】
（実施例５）
実施例５として、実施例４のうち、消臭糸を１０％、ナイロン８０％、ポリウレタン１０％を混用してストレッチレースを製造し、ショーツを作成した。
【００２２】
（比較例１）
比較例１として、実施例１のうち、パット、シャツ本体とも木綿繊維を改質せずに紡績した糸を用いてシャツを作成した。
【００２３】
（比較例２）
比較例２として、実施例１のうち、２０番手の消臭糸を使用した。
【００２４】
（比較例３）
比較例３として、実施例１のうち、シャツ本体の生地に木綿繊維を改質せずに紡績した糸を用いてシャツを作成した。
【００２５】
（比較例４）
比較例４として、実施例４のうち、ショーツ本体の生地に木綿繊維を改質せずに紡績した糸を用いてショーツを作成した。
【００２６】
（比較例５）
比較例５として、実施例４のうち、ストレッチレースに木綿繊維を改質せずに紡績した糸を用いてショーツを作成した。
【００２７】
【試験例】
実施例１乃至５、及び比較例１乃至５で作成したシャツ及びショーツを用い、本発明の消臭下着の効果を以下の試験例に基き説明する。
（試験例）
消臭効果、肌ざわり、耐洗濯性について年齢２５〜４０才までの女性２０人を無差別に選び、官能テストを行った。悪いを０、良いを５として数値評価させて、その平均値をとり、平均０〜２．９を×、３．０〜３．９を△、４．０〜５．０を○として評価した。尚、耐洗濯性については下着の着用と洗濯を５回繰り返して行い、その消臭効果について評価した。
その結果を表１に示す。
【００２８】
【表１】
2004091935.tif 000003
【００２９】
上記の結果から、本発明に係る消臭糸を含有する下着の付属部分品及びこれらが付設される消臭下着は消臭力に優れ、肌ざわりも良いものである事がわかった。また、繰り返しの洗濯でもその消臭機能が低下せず、耐洗濯性もあることがわかった。
【００３０】
【発明の効果】
以上詳述した如く、請求項１に係る発明は、塩基性悪臭物質を吸着脱臭する消臭糸を含有することを特徴とする下着の付属部分品であるので、該下着の付属部分品についた汗臭や体臭などのいやな臭いを効果的に消臭することができる。
【００３１】
請求項２に係る発明は、前記下着の付属部分品が、少なくともマチ部分、パット、レース、コメット、ニードル又はブラジャーの肩ひも等の下着本体に付設する繊維構造物であることを特徴とする請求項１に記載の下着の付属部分品であるので、汗臭や体臭が残りやすい部分である付属部分品の生地に優れた消臭機能がある。
【００３２】
請求項３に係る発明は、前記消臭糸が、セルロース繊維にメタクリル酸をグラフト共重合させた改質セルロース繊維を原料とする消臭糸であることを特徴とする請求項１又は２に記載の下着の付属部分品であるので、消臭効果が持続し、繰り返しの洗濯にもその性能が低下することがない耐洗濯性がある。
【００３３】
請求項４に係る発明は、前記改質セルロース繊維が前記消臭糸中５〜４０％含有されることを特徴とする請求項１乃至３のいずれかに記載の下着の付属部分品であるので、十分な消臭効果が得られ、その消臭機能が半永久的に続く。
【００３４】
請求項５に係る発明は、前記消臭糸が３０〜６０番手、又は６０／２〜１２０／２番手であることを特徴とする請求項１乃至４のいずれかに記載の下着の付属部分品であるので、肌ざわりが良いため、着用感に優れている。
【００３５】
請求項６に係る発明は、下着本体の生地に前記消臭糸が使用される消臭下着であって、前記下着の付属部分品が付設されることを特徴とする消臭下着であるので、下着全体に消臭機能があるため、汗や皮脂、埃などが原因の臭気を消臭することができ、着用者に不快感を与えることがない。
【図面の簡単な説明】
【図１】本発明に係るショーツの斜視図である。
【図２】本発明に係るインナーウェアの正面図である。
【符号の説明】
１　　　　　マチ部分
２　　　　　脇部分のパット
３　　　　　肩部分のパット
４　　　　　レース
５　　　　　コメット
６　　　　　ニードル
【図１】
2004091935.tif 000004
【図２】
2004091935.tif 000005